(57)【要約】【課題】  本発明は、画像印刷装置、画像印刷方法、画像印刷方法のプログラム及び画像印刷方法のプログラムを記録した記録媒体に関し、特にスクラップブッキングに使用して、定規と写真の大きさに係る不整合を簡易かつ確実に解消することができるようにし、切り取り線による仕上がりの劣化を防止する。【解決手段】  本発明は、ユーザーにより選択されたテンプレートを処理対象の画像上に重ねて表示すると共に、この表示における画像とテンプレートとの相対的な位置の変更、画像及び又はテンプレートの大きさの変更を受け付け、この画像及びテンプレートの設定により画像及びテンプレートを用紙の表面及び裏面に印刷する。【選択図】        図１
2007104172.tif 000002
【特許請求の範囲】
【請求項１】
スクラップブッキングに使用する画像を印刷する画像印刷装置であって、
処理対象画像の画像データを取得する画像データ取得部と、
前記スクラップブッキングに係る画像の切り抜き形状を、該切り抜き形状の輪郭線により示すテンプレートを複数種類保持するテンプレート保持部と、
前記テンプレート保持部に保持された複数のテンプレートから少なくとも１つのテンプレートを選択するテンプレート選択部と、
前記画像データ取得部により取得された画像データによる画像上に、前記テンプレート選択部により選択されたテンプレートを配置して表示する画像表示部と、
ユーザーによる操作により、前記画像表示部で表示した前記画像と前記テンプレートとの相対的な位置を変更すると共に、前記画像表示部で表示した前記画像及び又はテンプレートの大きさを変更する操作部と、
用紙が透明であるとして画像を印刷した側から見たときに、前記操作部により変更された前記画像表示部による前記画像及びテンプレートの表示となるように、前記用紙の表面及び裏面に前記画像及びテンプレートをそれぞれ印刷する印刷部とを備える
ことを特徴とする画像印刷装置。
【請求項２】
前記操作部は
さらに前記テンプレートの色及び線幅の変更を受け付け、
前記印刷部は、
前記表面側に、前記操作部により受け付けた色及び線幅による前記テンプレートを前記画像に重ねて印刷する
ことを特徴とする請求項１に記載の画像印刷装置。
【請求項３】
スクラップブッキングに使用する画像を印刷する画像印刷方法であって、
処理対象画像の画像データを取得する画像データ取得ステップと、
前記スクラップブッキングに係る画像の切り抜き形状を、該切り抜き形状の輪郭線により示すテンプレートを複数種類保持するテンプレート保持部から、少なくとも１つのテンプレートを選択するテンプレート選択ステップと、
前記画像データ取得ステップにより取得された画像データによる画像上に、前記テンプレート選択ステップにより選択されたテンプレートを配置して表示する画像表示ステップと、
ユーザーによる操作により、前記画像表示ステップで表示した前記画像と前記テンプレートとの相対的な位置を変更すると共に、前記画像表示ステップで表示した前記画像及び又はテンプレートの大きさを変更する操作ステップと、
用紙が透明であるとして画像を印刷した側から見たときに、前記操作ステップにより変更された前記画像表示ステップによる前記画像及びテンプレートの表示となるように、前記用紙の表面及び裏面に前記画像及びテンプレートをそれぞれ印刷する印刷ステップとを有する
ことを特徴とする画像印刷方法。
【請求項４】
演算処理手段による実行により、スクラップブッキングに使用する画像を印刷する画像印刷方法のプログラムであって、
処理対象画像の画像データを取得する画像データ取得ステップと、
前記スクラップブッキングに係る画像の切り抜き形状を、該切り抜き形状の輪郭線により示すテンプレートを複数種類保持するテンプレート保持部から、少なくとも１つのテンプレートを選択するテンプレート選択ステップと、
前記画像データ取得ステップにより取得された画像データによる画像上に、前記テンプレート選択ステップにより選択されたテンプレートを配置して表示する画像表示ステップと、
ユーザーによる操作により、前記画像表示ステップで表示した前記画像と前記テンプレートとの相対的な位置を変更すると共に、前記画像表示ステップで表示した前記画像及び又はテンプレートの大きさを変更する操作ステップと、
用紙が透明であるとして画像を印刷した側から見たときに、前記操作ステップにより変更された前記画像表示ステップによる前記画像及びテンプレートの表示となるように、前記用紙の表面及び裏面に前記画像及びテンプレートをそれぞれ印刷する印刷ステップとを有する
ことを特徴とする画像印刷方法のプログラム。
【請求項５】
演算処理手段による実行により、スクラップブッキングに使用する画像を印刷する画像印刷方法のプログラムを記録した記録媒体であって、
前記画像印刷方法のプログラムは、
処理対象画像の画像データを取得する画像データ取得ステップと、
前記スクラップブッキングに係る画像の切り抜き形状を、該切り抜き形状の輪郭線により示すテンプレートを複数種類保持するテンプレート保持部から、少なくとも１つのテンプレートを選択するテンプレート選択ステップと、
前記画像データ取得ステップにより取得された画像データによる画像上に、前記テンプレート選択ステップにより選択されたテンプレートを配置して表示する画像表示ステップと、
ユーザーによる操作により、前記画像表示ステップで表示した前記画像と前記テンプレートとの相対的な位置を変更すると共に、前記画像表示ステップで表示した前記画像及び又はテンプレートの大きさを変更する操作ステップと、
用紙が透明であるとして画像を印刷した側から見たときに、前記操作ステップにより変更された前記画像表示ステップによる前記画像及びテンプレートの表示となるように、前記用紙の表面及び裏面に前記画像及びテンプレートをそれぞれ印刷する印刷ステップとを有する
ことを特徴とする画像印刷方法のプログラムを記録した記録媒体。
【発明の詳細な説明】
【技術分野】
【０００１】
本発明は、画像印刷装置、画像印刷方法、画像印刷方法のプログラム及び画像印刷方法のプログラムを記録した記録媒体に関し、特にスクラップブッキングに使用する画像の印刷に適用することができる。本発明は、ユーザーにより選択されたテンプレートを処理対象の画像上に重ねて表示すると共に、この表示における画像とテンプレートとの相対的な位置の変更、画像及び又はテンプレートの大きさの変更を受け付け、この画像及びテンプレートの設定により画像及びテンプレートを用紙の表面及び裏面に印刷することにより、スクラップブッキングに適用して、定規と写真の大きさに係る不整合を簡易かつ確実に解消することができるようにし、切り取り線による仕上がりの劣化を防止する。
【背景技術】
【０００２】
近年、スクラップブックを作成するスクラップブッキングが流行している。ここでスクラップブッキングは、ペーパークラフトホビーの１つであり、所望する形状に写真を切り取り、種々に装飾を施してこの切り取った写真を台紙に張り付けてオリジナルのスクラップブックを作成するものである。
【０００３】
このため現在、このようなスクラップブッキングのユーザーに対して、スクラップブック用の各種台紙、各種装飾用のデコレーション、写真切り取り用の定規、切り取りに使用するハサミ等が種々に提供されている。これによりスクラップブッキングでは、この写真切り取り用の定規を写真に重ねて切り取り線を描いた後、この切り取り線に沿ってはさみにより写真を切り取ることにより、例えば星型、ハート型、菱形等の、定規に応じた種々の形状により簡易に写真を切り取って台紙に貼り付けることができる。
【０００４】
このような写真に係る各種処理に関して、特開２００４−１１４４６４公報には、ユーザーの所望するレイアウトにより、直接、アルバム用紙に画像を印刷する方法が提案されており、また特表２００３−５３２２０５公報には、アルバムへのレイアウトに対応するように各画像のフォーマットを設定して印刷する方法が提案されている。また特開２００４−２６８３５３公報には、ユーザーにより指示された領域を選択的に印刷する方法が提案されている。また特開平１１−３２１０１０公報には、写真を切りそろえるためのトンボを画像と共に印刷する方法が提案されている。
【０００５】
ところでスクラップブッキングにおいて、定規を用いて写真を切り取る場合、定規に比して写真上の被写体が小さい場合もあり、またこれとは逆に定規に比して写真上の被写体が大きい場合もある。このような場合には、定規の大きさに写真の大きさを合わせたい場合もあり、またこれとは逆に、写真の大きさに定規の大きさを合わせたい場合、さらには定規及び写真の双方の大きさを変更したい場合がある。これによりこのような定規と写真の大きさに係る不整合を簡易かつ確実に解消することができれば、簡易に意図するデザインによりスクラップブックを作成することができ、一段とスクラップブッキングの楽しみを向上することができると考えられる。
【０００６】
またさらに定規により切り取り線を描いて写真を切り取る場合にあっては、余程注意して写真を切り取らなければ、切り取り線が残ってしまい、この残った切り取り線によりスクラップブックの仕上がりが悪くなる。これによりこのような切り取り線が残らないように簡易に切り取ることができれば、一段とスクラップブックの仕上がりを向上して、スクラップブッキングの楽しみをさらに一段と向上することができると考えられる。
【０００７】
これらの場合に、例えば、特開２００４−１１４４６４公報、特表２００３−５３２２０５公報等の手法を適用して写真を印刷する方法も考えられるが、これらの方法では、手作業により写真を切り取ってスクラップブックを作成する楽しみが損なわれることになる。また特開２００４−２６８３５３公報、特開平１１−３２１０１０公報の手法を適用することも考えられるが、これらに開示の手法は、スクラップブッキングに係るような複雑かつ多様な形状による写真の切り取りには、実際上、適用できない欠点がある。
【特許文献１】特開２００４−１１４４６４公報
【特許文献２】特表２００３−５３２２０５公報
【特許文献３】特開２００４−２６８３５３公報
【特許文献４】特開平１１−３２１０１０公報
【発明の開示】
【発明が解決しようとする課題】
【０００８】
本発明は以上の点を考慮してなされたもので、スクラップブッキングに適用して、定規と写真の大きさに係る不整合を簡易かつ確実に解消することができ、さらに切り取り線による仕上がりの劣化を防止することができる画像印刷装置、画像印刷方法、画像印刷方法のプログラム及び画像印刷方法のプログラムを記録した記録媒体を提案しようとするものである。
【課題を解決するための手段】
【０００９】
かかる課題を解決するため請求項１の発明は、スクラップブッキングに使用する画像を印刷する画像印刷装置に適用して、処理対象画像の画像データを取得する画像データ取得部と、前記スクラップブッキングに係る画像の切り抜き形状を、該切り抜き形状の輪郭線により示すテンプレートを複数種類保持するテンプレート保持部と、前記テンプレート保持部に保持された複数のテンプレートから少なくとも１つのテンプレートを選択するテンプレート選択部と、前記画像データ取得部により取得された画像データによる画像上に、前記テンプレート選択部により選択されたテンプレートを配置して表示する画像表示部と、ユーザーによる操作により、前記画像表示部で表示した前記画像と前記テンプレートとの相対的な位置を変更すると共に、前記画像表示部で表示した前記画像及び又はテンプレートの大きさを変更する操作部と、用紙が透明であるとして画像を印刷した側から見たときに、前記操作部により変更された前記画像表示部による前記画像及びテンプレートの表示となるように、前記用紙の表面及び裏面に前記画像及びテンプレートをそれぞれ印刷する印刷部とを備えるようにする。
【００１０】
また請求項３の発明は、スクラップブッキングに使用する画像を印刷する画像印刷方法に適用して、処理対象画像の画像データを取得する画像データ取得ステップと、前記スクラップブッキングに係る画像の切り抜き形状を、該切り抜き形状の輪郭線により示すテンプレートを複数種類保持するテンプレート保持部から、少なくとも１つのテンプレートを選択するテンプレート選択ステップと、前記画像データ取得ステップにより取得された画像データによる画像上に、前記テンプレート選択ステップにより選択されたテンプレートを配置して表示する画像表示ステップと、ユーザーによる操作により、前記画像表示ステップで表示した前記画像と前記テンプレートとの相対的な位置を変更すると共に、前記画像表示ステップで表示した前記画像及び又はテンプレートの大きさを変更する操作ステップと、用紙が透明であるとして画像を印刷した側から見たときに、前記操作ステップにより変更された前記画像表示ステップによる前記画像及びテンプレートの表示となるように、前記用紙の表面及び裏面に前記画像及びテンプレートをそれぞれ印刷する印刷ステップとを有するようにする。
【００１１】
また請求項４の発明は、演算処理手段による実行により、スクラップブッキングに使用する画像を印刷する画像印刷方法のプログラムに適用して、処理対象画像の画像データを取得する画像データ取得ステップと、前記スクラップブッキングに係る画像の切り抜き形状を、該切り抜き形状の輪郭線により示すテンプレートを複数種類保持するテンプレート保持部から、少なくとも１つのテンプレートを選択するテンプレート選択ステップと、前記画像データ取得ステップにより取得された画像データによる画像上に、前記テンプレート選択ステップにより選択されたテンプレートを配置して表示する画像表示ステップと、ユーザーによる操作により、前記画像表示ステップで表示した前記画像と前記テンプレートとの相対的な位置を変更すると共に、前記画像表示ステップで表示した前記画像及び又はテンプレートの大きさを変更する操作ステップと、用紙が透明であるとして画像を印刷した側から見たときに、前記操作ステップにより変更された前記画像表示ステップによる前記画像及びテンプレートの表示となるように、前記用紙の表面及び裏面に前記画像及びテンプレートをそれぞれ印刷する印刷ステップとを有するようにする。
【００１２】
また請求項５の発明は、演算処理手段による実行により、スクラップブッキングに使用する画像を印刷する画像印刷方法のプログラムを記録した記録媒体に適用して、前記画像印刷方法のプログラムは、処理対象画像の画像データを取得する画像データ取得ステップと、前記スクラップブッキングに係る画像の切り抜き形状を、該切り抜き形状の輪郭線により示すテンプレートを複数種類保持するテンプレート保持部から、少なくとも１つのテンプレートを選択するテンプレート選択ステップと、前記画像データ取得ステップにより取得された画像データによる画像上に、前記テンプレート選択ステップにより選択されたテンプレートを配置して表示する画像表示ステップと、ユーザーによる操作により、前記画像表示ステップで表示した前記画像と前記テンプレートとの相対的な位置を変更すると共に、前記画像表示ステップで表示した前記画像及び又はテンプレートの大きさを変更する操作ステップと、用紙が透明であるとして画像を印刷した側から見たときに、前記操作ステップにより変更された前記画像表示ステップによる前記画像及びテンプレートの表示となるように、前記用紙の表面及び裏面に前記画像及びテンプレートをそれぞれ印刷する印刷ステップとを有するようにする。
【００１３】
請求項１の構成により、スクラップブッキングに使用する画像を印刷する画像印刷装置に適用して、処理対象画像の画像データを取得する画像データ取得部と、前記スクラップブッキングに係る画像の切り抜き形状を、該切り抜き形状の輪郭線により示すテンプレートを複数種類保持するテンプレート保持部と、前記テンプレート保持部に保持された複数のテンプレートから少なくとも１つのテンプレートを選択するテンプレート選択部と、前記画像データ取得部により取得された画像データによる画像上に、前記テンプレート選択部により選択されたテンプレートを配置して表示する画像表示部と、ユーザーによる操作により、前記画像表示部で表示した前記画像と前記テンプレートとの相対的な位置を変更すると共に、前記画像表示部で表示した前記画像及び又はテンプレートの大きさを変更する操作部と、用紙が透明であるとして画像を印刷した側から見たときに、前記操作部により変更された前記画像表示部による前記画像及びテンプレートの表示となるように、前記用紙の表面及び裏面に前記画像及びテンプレートをそれぞれ印刷する印刷部とを備えるようにすれば、操作部による画像表示部で表示した画像とテンプレートとの相対的な位置の変更、画像及び又はテンプレートの大きさの変更により、定規と写真の大きさに係る不整合を簡易かつ確実に解消することができる。また用紙が透明であるとして画像を印刷した側から見たときに、操作部により変更された画像表示部による画像及びテンプレートの表示となるように、用紙の表面及び裏面に画像及びテンプレートをそれぞれ印刷する印刷部を備えることにより、裏面に印刷した切り取り線により印刷結果を切り取るようにしてテンプレートにより設定した形状により写真を切り取り、かつ表面より切り取り線の切り残しを見て取られないようすることができる。これによりスクラップブッキングに適用して、定規と写真の大きさに係る不整合を簡易かつ確実に解消することができ、また切り取り線による仕上がりの劣化を防止することができる。
【００１４】
これにより請求項３、請求項４、請求項５の構成によれば、スクラップブッキングに適用して、定規と写真の大きさに係る不整合を簡易かつ確実に解消することができ、また切り取り線による仕上がりの劣化を防止することができる画像印刷方法、画像印刷方法のプログラム及び画像印刷方法のプログラムを記録した記録媒体を提供することができる。
【発明の効果】
【００１５】
本発明によれば、スクラップブッキングに適用して、定規と写真の大きさに係る不整合を簡易かつ確実に解消することができ、また切り取り線による仕上がりの劣化を防止することができる。
【発明を実施するための最良の形態】
【００１６】
以下、適宜図面を参照しながら本発明の実施例を詳述する。
【実施例１】
【００１７】
（１）実施例の構成
図２は、本発明の実施例に係る画像印刷装置を示す斜視図である。この画像印刷装置１は、各種店舗に配置されてメモリカード等の記録媒体に記録された画像データによる画像を写真に印刷する装置である。
【００１８】
この画像印刷装置１は、全体が縦長の長方体形状により形成され、正面に、印刷結果である写真を取り出す写真取り出し口２が設けられる。またこの写真取り出し口２の上側に、メモリカード、磁気ディスク、光ディスク等の各種記録媒体を装填する記録媒体の各種挿入口３、課金処理に供するカード投入口等が設けられる。またこの種の挿入口３の上側に、タッチパネルを配置した画像表示部４が設けられ、この画像表示部４に表示された各種メニューの選択をタッチパネルにより検出してユーザーによる操作を受け付ける。また上端面には、テンプレートの登録に使用するフラットヘッドスキャナ５が配置される。
【００１９】
図３は、この画像印刷装置１の構成を示すブロック図である。この画像印刷装置１において、画像表示部４は、制御部１１の制御により、この画像印刷装置１の処理に必要な各種画像を表示し、タッチパネル１２は、ユーザーによる各種操作を検出して制御部１１に通知する。スキャナ５は、セットされた用紙の画像を取得して制御部１１に通知する。またメディアインターフェース（メディアＩ／Ｆ）１３は、記録媒体の各種挿入口３に挿入された記録媒体から画像データ等を取得して制御部１１に通知し、課金部１４は、課金に係る一連の処理を実行する。
【００２０】
印刷部１５は、両面印刷可能な印刷機構であり、制御部１１の制御により、所定の用紙の表面及び裏面に画像及びテンプレートをそれぞれ印刷し、印刷結果による写真を写真取り出し口２に送出する。なおここでテンプレートは、スクラップブッキングに係る画像の切り抜き形状を、該切り抜き形状の輪郭線により示す画像である。
【００２１】
すなわち図４に示すように、印刷部１５は、昇華型のプリンタに係るロール紙を保持し、このロール紙にインクリボンを押し付けて搬送しながら、サーマルヘッドの駆動により、インクリボンのインクをロール紙に付着させて表面を印刷する。これによりこの印刷部１５は、ユーザーにより指示された画像をロール紙の表面に印刷して写真を形成する。
【００２２】
また印刷部１５は、このサーマルヘッドにより印刷されて搬送されるロール紙の裏面側に、インクジェットプリンタヘッドが配置され、このインクジェットプリンタヘッドの駆動によりロール紙の裏面にインク液滴を付着させてロール紙の裏面を印刷する。これによりこの印刷部１５は、ロール紙の裏面にテンプレートを印刷する。印刷部１５は、このインクジェットプリンタヘッドにより裏面が印刷されたロール紙が、切断機構により切断されて写真取り出し口２に排出される。
【００２３】
ハードディスク装置（ＨＤＤ）１６は、この画像印刷装置１の処理に係る処理プログラム、各種データ等を記録して保持する。この画像印刷装置１では、このハードディスク装置１６によるこのデータの記録により、テンプレートデータベース１６Ａが構成される。ここでテンプレートデータベース１６Ａは、テンプレートのデータベースであり、事前の登録により、さらにはスキャナ５を用いた画像読み取りによる追加登録により構築される。なおこの実施例では、正方形形状、長方形形状、円形形状、種々の方向に横長の楕円形状、各種の多角形形状、ハート型等によるテンプレートが用意されている。これに対してハードディスク装置１６に記録された処理プログラムは、この画像印刷装置１に事前にインストールされて提供されるものの、このような事前のインストールによる提供に代えて、光ディスク、メモリカード、磁気ディスク等の各種記録媒体に記録して提供するようにしてもよく、またこれに代えてインターネット等のネットワークを介したダウンロードにより提供するようにしてもよい。
【００２４】
制御部１１は、この画像印刷装置１全体の動作を制御する演算処理手段により構成され、ハードディスク装置１６に記録された処理プログラムの実行により各部の動作を制御する。この処理手順の実行により、制御部１１は、電源の立ち上げにより、さらには待機状態でユーザーによるタッチパネル１２の操作が検出されると、初期メニュー画面を画像表示部４に表示する。またこの初期メニュー画面における所定の操作により、メンテナンスモードに動作を切り換え、スキャナ５の動作を制御してテンプレートの画像を取得し、この取得したテンプレートの画像をテンプレートデータベース１６Ａに登録する。
【００２５】
これに対して初期メニュー画面において、写真印刷のメニューが選択されると、制御部１１は、画像表示部４の表示を切り換え、図５に示すように、挿入口３への記録媒体の挿入を指示するガイダンスを表示する。なおこのガイダンスの表示画面では、最上段に、ユーザーに操作を指示するメッセージが表示され、続いて各挿入口３と対応する記録媒体との関係を示す画像が表示され、最下段に、初期メニュー画面に戻る「Ｔｏｐ  Ｍｅｎｕ」のメニューが表示される。
【００２６】
この状態で、ユーザーが何れかの挿入口３に対応する記録媒体を挿入すると、制御部１１は、画像表示部４の表示を図６に示す処理の選択画面に切り換える。なお初期メニュー画面において、ユーザーがタッチパネル１２を操作することなく、直接、何れかの挿入口３に対応する記録媒体を挿入した場合、制御部１１は、図５のガイダンス画面の表示を省略して直接この図６に示す処理の選択画面に画像表示部４の表示を切り換える。
【００２７】
ここでこの処理の選択画面は、最上段にユーザーに操作を指示するメッセージが表示され、続いて「プリント」、「証明写真」、「インデックスプリント」、「スクラップブックプリント」のメニューが表示され、最下段に、初期メニュー画面に戻る「Ｔｏｐ  Ｍｅｎｕ」のメニューが表示される。ここで「プリント」のメニューは、記録媒体に記録された画像の印刷を指示するメニューである。また「証明写真」のメニューは、証明用の写真の印刷を指示するメニューであり、「インデックスプリント」のメニューは、インデックスに供するいわゆるベタ焼きの印刷を指示するメニューである。これに対して「スクラップブックプリント」のメニューは、スクラップブックに係る処理を選択するメニューである。
【００２８】
制御部１１は、この選択画面に表示した各メニューの選択により、画像表示部４の表示を切り換えてユーザーによる入力を受け付け、これにより各メニューに係る一連の処理を実行する。この処理において、制御部１１は、ユーザーが「スクラップブックプリント」のメニューを選択すると、画像表示部４の表示を切り換え、図７に示す画像選択画面を表示する。
【００２９】
ここで画像選択画面は、記録媒体に記録された各画像のサムネイル画像が一覧表示される。また下端に沿って、トップメニュー画面に戻る「Ｔｏｐ  Ｍｅｎｕ」メニュー、プレビュー画像の切り換えを指示するメニュー、日付を追加した印刷を指示する「Ａｄｄ  Ｄａｔｅ」のメニュー、印刷を指示する「Ｐｒｉｎｔ」のメニューが表示される。また右側上端側より、ヘルプ画面の表示を指示する「Ｈｅｌｐ」のメニュー、サムネイル画像の１つを拡大したプレビュー画像、印刷枚数を増減させる「＋」及び「−」のメニュー等が表示される。
【００３０】
制御部１１は、これらのメニューの操作に応じて、プレビュー画像により表示した画像に係る各種の設定を受け付け、またこれらの設定により印刷の処理を実行する。制御部１１は、これら一連の処理において、サムネイル画像の表示のユーザーによる選択が検出されると、画像表示部４の表示をこのサムネイル画像に係る編集画面の表示に切り換える。
【００３１】
ここでこの編集画面は、図８に示すように、ユーザーにより選択されたサムネイル画像を大きく拡大した拡大画像３１が表示される。また下端に沿って、トップメニュー画面に戻る「Ｔｏｐ  Ｍｅｎｕ」メニュー、拡大画像３１の切り換えを指示するメニュー、テンプレートの一覧表示を指示する「ＴＰ」のメニュー、印刷を指示する「Ｐｒｉｎｔ」のメニューが表示される。
【００３２】
またこの表示画面は、右側端に沿って、ヘルプ画面の表示を指示する「Ｈｅｌｐ」のメニュー、画像選択画面への表示の切り換えを指示する戻るのメニュー３０、印刷枚数を増減させる「＋」及び「−」のメニューが表示され、テンプレートに係る操作のメニュー３３が表示される。これにより制御部１１は、これらのメニューの操作に応じて、拡大画像３１に係る各種の設定を受け付け、このときテンプレートの一覧表示を指示する「テンプレート」のメニューが選択されると、図９に示すように、テンプレートデータベース１６Ａに記録されたテンプレートの一覧表示に画像表示部４の表示を切り換える。
【００３３】
ここでこのテンプレートの一覧表示は、テンプレートデータベース１６Ａに記録された各種形状のテンプレートが、順次配置されて表示される。制御部１１は、このテンプレートの一覧表示において、ユーザーが何れかのテンプレートを選択すると、図８との対比により図１０に示すように、拡大画像３１の上に、ユーザーにより選択されたテンプレート３２を重ねて表示する。
【００３４】
制御部１１は、このようにして拡大画像３１上にテンプレート３２を表示すると、テンプレートに係る操作のメニュー３３の操作を受け付ける。ここでこのテンプレートに係る操作のメニュー３３は、中央に、拡大画像３１の縮小を指示する円形形状によるメニューと、拡大画像３１の拡大を指示するこの円形形状のメニューを囲むリング形状のメニューとが配置される。制御部１１は、この縮小、拡大のメニューの操作に応動して、図１０との対比により図１１及び図１２に示すように、拡大画像３１の表示を縮小及び拡大する。
【００３５】
またメニュー３３は、リング形状によるメニューの周囲、上下左右に、それぞれ拡大表示した画像３１の表示位置の上下左右方向への変更を指示する三角形形状のメニューが表示される。制御部１１は、図１２との対比により図１３に示すように、これら位置の変更を指示するメニューの操作に応動して拡大画像３１の表示位置を対応する方向に移動させる。
【００３６】
これに対して制御部１１は、戻るのメニュー３０が操作されると、このサムネイル画像についての各種設定を確定させ、元の画像選択画面（図７）に戻る。これにより制御部１１は、ユーザーにより選択された画像にユーザーの所望するテンプレートの設定を受け付け、さらにこのテンプレートに対する画像の相対位置、大きさの変更を受け付ける。
【００３７】
しかして制御部１１は、このようにしてテンプレートの設定、画像の相対位置、大きさの変更を受け付けて元の画像選択画面に戻り、ここでユーザーが再びサムネイル画像を選択すると、この選択されたサムネイル画像について、同様に、テンプレートの設定、画像の相対位置、大きさの変更を受け付けて元の画像選択画面に戻る。
【００３８】
またこのようにして元の画像選択画面に戻り、ここでユーザーが印刷を指示する「プリント」のメニューを選択すると、制御部１１は、ユーザーにより印刷対象に設定されたサムネイル画像の写真を印刷する。このとき制御部１１は、サーマルヘッドを印刷対象に係る画像データにより駆動するのに対し、インクジェットプリンタヘッドをテンプレートの画像データにより駆動し、これにより用紙の表面及び裏面にそれぞれ画像及びテンプレートを印刷する。またこのときユーザーにより指示された位置、大きさにより画像を印刷する。
【００３９】
具体的に、制御部１１は、図１４に示すように、用紙が透明であるとして画像を印刷した側から印刷結果を見たときの画像およびテンプレートが、画像表示部４により表示した、ユーザーにより表示位置、大きさが設定された拡大画像３１及びテンプレート３２の表示となるように、画像及びテンプレートの印刷に係るヘッドの駆動を制御する。具体的に、この実施例では、印刷結果の上下方向がロール紙の搬送方向であることより、制御部１１は、印刷面に対して左右を反転させてテンプレートを印刷し、これにより画像を印刷した側から印刷結果を見たときに、画像表示部４で拡大画像３１にテンプレート３２を重ねて表示した画像と一致するように設定する。なおこれにより印刷結果の左右方向がロール紙の搬送方向である場合、制御部１１は、上下を反転させてテンプレートを印刷する。これらにより制御部１１は、裏面に印刷したテンプレートにより印刷した写真を切り取った場合に、画像表示部４で表示したテンプレートにより囲まれた部分が正確に取り残されるように、裏面にテンプレートを印刷する。
【００４０】
さらに制御部１１は、テンプレートにより切り取られる個所に、この写真に係る情報を印刷し、この実施例では、この情報に印刷の日付が適用される。これによりこの実施例では、スクラップブッキングの作業における写真の管理に関して、ユーザーの利便を図る。
【００４１】
これらにより制御部１１は、図１の処理手順の実行によりスクラップブッキングに係る写真を印刷する。すなわち制御部１１は、ステップＳＰ１において、初期メニュー画面を表示すると、続くステップＳＰ２において、図５について上述したガイダンスの表示画面を表示する。またユーザーにより記録媒体が挿入されると、続くステップＳＰ３において、図６について上述した処理の選択画面を表示する。またこの処理に選択画面で、「スクラップブックプリント」のメニューが選択されると、続くステップＳＰ４において、図７について上述したサムネイル画像の一覧表示による画像選択画面を表示する。
【００４２】
またこの画像選択画面において、何れかのサムネイル画像が選択されると、ステップＳＰ５に移り、図８について上述した拡大画像によるプレビュー画面を表示する。またユーザーによる操作により、続くステップＳＰ６において、図９について上述したテンプレートの一覧を表示し、この一覧の表示でテンプレートが選択されると、続くステップＳＰ７で、図１０について上述したように、拡大画像にテンプレートを重ねて表示する。
【００４３】
また続くステップＳＰ８において、ユーザーによる操作に応動して、拡大画像の大きさ、位置の変更を受け付け、ユーザーにより印刷の指示により、続くステップＳＰ９で用紙の両面に、画像及びテンプレートを印刷し、ステップＳＰ１０に移って一連の処理を完了する。
【００４４】
（２）実施例の動作
以上の構成において、この画像印刷装置１では（図２及び図３）、画像表示部４に表示したメニューのユーザーによる選択操作に応動して、メモリカード等の記録媒体に記録された画像データによる画像が印刷部１５により印刷されてユーザーに提供される。
【００４５】
この一連の処理において、ユーザーがスクラップブッキングに係るメニューを選択すると（図６）、画像印刷装置１では、記録媒体に記録された印刷可能な全ての画像のサムネイル画像が一覧表示され（図７）、この一覧表示におけるユーザーの設定により印刷する画像の選択、印刷サイズ、印刷枚数の選択が受け付けられる。
【００４６】
このときユーザーによる指示により、この画像印刷装置１では、ユーザーの選択したサムネイル画像が拡大表示され（図８）、さらにユーザーによるテンプレートのメニューの操作により、テンプレートデータベース１６Ａに保持したテンプレートの一覧が表示される（図９）。またこのテンプレートの一覧においてユーザーがテンプレートを選択すると、このユーザーにより選択されたテンプレートが拡大画像上に重ねて表示される（図１０）。またこの拡大画像と同時に表示される各種メニューのユーザーによる操作により、テンプレートに対する拡大画像の位置、大きさが変更される（図１１〜図１３）。
【００４７】
画像印刷装置１では、このようにしてテンプレートの選択が受け付けられて、画像とテンプレートとの相対的な位置、画像の大きさが設定され、その後、ユーザーによる印刷の指示により、用紙の表面、裏面にそれぞれ画像、テンプレートが印刷される。またこのとき用紙が透明であるとして画像を印刷した側から印刷結果を見たときに、ユーザーにより表示位置、大きさが設定された拡大画像３１とテンプレート３２との表示となるように、これらテンプレート及び画像を印刷し、これにより裏面に印刷したテンプレートにより印刷した写真を切り取った場合に、画像表示部４で表示したテンプレートにより囲まれた部分が正確に取り残されるように、これら画像及びテンプレートが印刷される。
【００４８】
これによりユーザーは、所望する形状のテンプレートを選択した後、あたかも写真上に定規を重ねて切り取る位置を調整するが如く、この選択したテンプレートと処理対象の画像との相対的な位置を調整し、これによりテンプレートの形状により切り取った場合の仕上がりを確認しながら、テンプレートの大きさに釣り合うように画像の大きさを種々に変更することができる。これによりこの実施例では、定規と写真の大きさに係る不整合を簡易かつ確実に解消することができる。
【００４９】
またこのようにして画像の大きさを調整して、印刷結果にあっては、裏面にテンプレートが印刷されていることにより、このテンプレートにより写真を切り取ってテンプレートによる切り取り線が残った場合でも、表面からは見て取られないようにすることができ、これにより切り取り線による仕上がりの劣化を防止することができる。
【００５０】
（３）実施例の効果
以上の構成によれば、ユーザーにより選択されたテンプレートを処理対象の画像上に重ねて表示すると共に、この表示における画像とテンプレートとの相対的な位置の変更、画像の大きさの変更を受け付け、この画像及びテンプレートの設定により画像及びテンプレートを用紙の表面及び裏面に印刷することにより、スクラップブッキングに適用して、定規と写真の大きさに係る不整合を簡易かつ確実に解消することができるようにし、切り取り線による仕上がりの劣化を防止することができる。
【実施例２】
【００５１】
この実施例２に係る画像印刷装置は、上述の実施例１に係る拡大画像の表示（図１０）において、さらにテンプレートの色彩、線幅の設定を受け付け、この色彩、線幅によるテンプレートを、拡大画像に重ねて表示する。またユーザーによる印刷の指示により、この線幅によるテンプレートの外側の輪郭線を用紙の裏面に印刷し、表面には、この色彩、線幅によるテンプレートを画像に重ねて印刷する。なおこの実施例に係る画像印刷装置は、この色彩、線幅に係る処理を除いて、実施例１について上述した画像印刷装置と同一に構成される。
【００５２】
これによりこの実施例では、裏面に印刷した輪郭線によるテンプレートに沿って写真を切り取ると、ユーザーにより指示された色彩、線幅により縁取りした形態で写真をテンプレートの形状により切り取ることができ、これにより切り取った写真を装飾してスクラップブックの仕上がりを向上することができる。またこの場合、写真を貼り付けるマットを省略することができ、その分、手作業による楽しみを残しつつ、スクラップブックの作成に要する時間を短くすることができる。
【００５３】
この実施例２の構成によれば、色彩、線幅の入力を受け付けて表面にもテンプレートを印刷することにより、一段とスクラップブックの仕上がりを向上するようにして、実施例１と同様の効果を得ることができる。
【実施例３】
【００５４】
この実施例３に係る画像印刷装置は、上述の実施例１に係る拡大画像の表示（図１０）において、画像の位置の変更、画像の拡大縮小に代えて、又は画像の位置の変更、画像の拡大縮小に加えて、テンプレートの位置、拡大縮小を受け付ける。またこのようにして設定された画像とテンプレートとをそれぞれ用紙の表面及び裏面に印刷する。なおこの実施例に係る画像印刷装置は、位置の変更、拡大縮小に係る処理を除いて、実施例１又は実施例２について上述した画像印刷装置と同一に構成される。
【００５５】
これによりこの実施例３では、テンプレートの大きさに画像の大きさを合わせる場合だけでなく、画像の大きさにテンプレートの大きさを合わせたり、テンプレート、画像の双方の大きさを可変して所望する大きさに写真を切り取ることができ、その分、実施例１の構成に比して一段と確実に定規と写真の大きさに係る不整合を解消することができる。
【００５６】
この実施例３の構成によれば、実施例１又は実施例２の構成に比して一段と確実に定規と写真の大きさに係る不整合を解消することができる。
【実施例４】
【００５７】
なお上述の実施例においては、事前に登録されたテンプレートにより一連の処理を実行する場合について述べたが、本発明はこれに限らず、別途、ユーザーによる入力によりテンプレートを取得するようにしてもよい。なおこの場合、タッチパネル上におけるユーザーのドラッグの処理により、テンプレートの入力を受け付けることが考えられる。
【００５８】
また上述の実施例においては、各ユーザーが選択した画像を１枚ずつ印刷する場合について述べたが、本発明はこれに限らず、いわゆるマルチプリントにより１枚の用紙上にユーザーの選択した画像を複数個連続させて印刷する場合にも広く適用することができる。
【００５９】
また上述の実施例では、裏面に印刷するテンプレートと同一のテンプレートを表面に印刷する場合について述べたが、本発明はこれに限らず、複数のテンプレートを表面側に印刷すると共に、テンプレート間を着色して印刷するようにし、これにより一段と装飾を図るようにしてもよい。
【００６０】
また上述の実施例においては、店舗に設置して各種記録媒体によりユーザーが提供する画像を印刷する場合について述べたが、本発明はこれに限らず、例えばネットワークにより提供される画像を印刷する場合、ＵＳＢ（Universal Serial Bus）等のインターフェースにより直接電子スチルカメラ等の撮像装置を接続して画像を印刷する場合等に広く適用することができる。
【００６１】
また上述の実施例においては、写真を印刷する専用装置に本発明を適用する場合について述べたが、本発明はこれに限らず、例えばコンピュータにより実行可能な印刷、画像編集に係るプログラムに適用する場合、さらにはコンピュータ等に接続して使用されるプリンタのアプリケーションに適用する場合等、写真を印刷する種々の装置に広く適用することができる。なおこの場合、印刷部にあっては、例えば反転機構により途中で用紙を反転させてプリンタヘッドの前を繰り返し移動させる形式のもの等、種々の形式による両面印刷可能なプリンタを広く適用することができる。
【産業上の利用可能性】
【００６２】
本発明は、特にスクラップブッキングに使用する画像の印刷に適用することができる。
【図面の簡単な説明】
【００６３】
【図１】本発明の実施例１に係る画像印刷装置における制御部の処理手順を示すフローチャートである。
【図２】本発明の実施例１に係る画像印刷装置を示す斜視図である。
【図３】図２の画像印刷装置のブロック図である。
【図４】図２の画像印刷装置における印刷部の構成を示す略線図である。
【図５】図２の画像印刷装置におけるガイダンスの画面を示す平面図である。
【図６】図２の画像印刷装置における処理の選択画面を示す平面図である。
【図７】図２の画像印刷装置におけるサムネイル画像の一覧表示を示す平面図である。
【図８】図２の画像印刷装置におけるプレビュー画面を示す平面図である。
【図９】図２の画像印刷装置におけるテンプレートの一覧表示を示す平面図である。
【図１０】図２の画像印刷装置におけるテンプレートと画像との表示を示す平面図である。
【図１１】図２の画像印刷装置における画像の縮小の説明に供する平面図である。
【図１２】図２の画像印刷装置における画像の拡大の説明に供する平面図である。
【図１３】図２の画像印刷装置における画像の移動の説明に供する平面図である。
【図１４】図２の画像印刷装置における印刷の説明に供する平面図である。
【符号の説明】
【００６４】
１……画像印刷装置、４……画像表示部、１１……制御部、１６……ハードディスク装置、１６Ａ……テンプレートデータベース、１５……印刷部
【図１】
2007104172.tif 000003
【図２】
2007104172.tif 000004
【図３】
2007104172.tif 000005
【図４】
2007104172.tif 000006
【図５】
2007104172.tif 000007
【図６】
2007104172.tif 000008
【図７】
2007104172.tif 000009
【図８】
2007104172.tif 000010
【図９】
2007104172.tif 000011
【図１０】
2007104172.tif 000012
【図１１】
2007104172.tif 000013
【図１２】
2007104172.tif 000014
【図１３】
2007104172.tif 000015
【図１４】
2007104172.tif 000016